(57)【特許請求の範囲】
【請求項１】
Ｕ字溝ブロック（４）を横に向け、下部を埋設し、植栽ベンチを構成し、該植栽ベンチのオーバーハング部の下方を植栽用に用い、該Ｕ字溝ブロック（４）を境として、地面（６ｂ）は地面（６ａ）より高い位置とし、該Ｕ字溝ブロック（４）により土留めを行なうことを特徴とする植栽ベンチ。
【請求項２】
請求項１記載の植栽ベンチにおいて、同型のＵ字溝ブロック（４・４）および小型のＵ字溝ブロック（４ｃ）を互いに固設して植栽ベンチを構成し、土留め兼用としたことを特徴とする植栽ベンチ。
【請求項３】
請求項１又は２記載の植栽ベンチにおいて、植栽ベンチを構成するＵ字溝ブロック（４）の外側面および上面に天然石のプレートを着設したことを特徴とする植栽ベンチ。
【発明の詳細な説明】
【０００１】
【発明の属する技術分野】
本発明は、集合住宅や住宅に配設されるベンチに関する。より詳しくは、駐車場の近傍に配設し、簡易なベンチとして用いられる植栽ベンチに関する。
【０００２】
【従来の技術】
従来、公園や街路にベンチが配設され、人々の休憩の場所として利用されており、ベンチにより植栽を囲み都市景観と機能性を兼ねたベンチ等が知られている。また、該ベンチを石製にすることにより、景観の向上させるものもある。
【０００３】
【発明が解決しようとする課題】
しかし、石製のベンチは高価であり、重量もかなり重いものである。このため、施工作業には多くの人手を必要とするとともに、多大な経費がかかるものである。また、高価で経費がかかるため、一般の家庭などでは扱いにくい。
このため、安価であり、施工作業を容易にするとともに、石製のベンチに似たベンチが求められるものである。
【０００４】
【課題を解決するための手段】
本発明が解決しようとする課題は以上の如くであり、次に該課題を解決するための構成を説明する。
請求項１においては、Ｕ字溝ブロック（４）を横に向け、下部を埋設し、植栽ベンチを構成し、該植栽ベンチのオーバーハング部の下方を植栽用に用い、該Ｕ字溝ブロック（４）を境として、地面（６ｂ）は地面（６ａ）より高い位置とし、該Ｕ字溝ブロック（４）により土留めを行なうものである。
請求項２においては、請求項１記載の植栽ベンチにおいて、同型のＵ字溝ブロック（４・４）および小型のＵ字溝ブロック（４ｃ）を互いに固設して植栽ベンチを構成し、土留め兼用としたものである。
請求項３においては、請求項１又は２記載の植栽ベンチにおいて、植栽ベンチを構成するＵ字溝ブロック（４）の外側面および上面に天然石のプレートを着設したものである。
【０００５】
【発明の実施の形態】
次に本発明の実施の形態を説明する。
図１は植栽ベンチの使用例を示す斜視図、図２は同じく断面図、図３は植栽ベンチを構成するＵ字溝ブロックの斜視図、図４は同じく側面断面図、図５は土留め兼用植栽ベンチの側面断面図、図６は同じく斜視図、図７はプランター付き植栽ベンチの側面断面図、図８は同じく斜視図、図９は植木台兼用複合植栽ベンチの一例を示す側面断面図、図１０は同じく斜視図、図１１は植木台兼用複合植栽ベンチの他の例を示す側面断面図、図１２は同じく斜視図。
【０００６】
図１および図２において植栽ベンチについて説明する。
本発明の植栽ベンチ１は、一般住宅住宅や集合住宅において駐車場２と庭３の境界に配設され、車の乗り降りの際の簡単な荷物置き場として、もしくは住宅の住人が腰をおろすため等に使用されるものである。もちろん本植栽ベンチ１を街路などに設置し、歩行者のための簡便な休憩用ベンチとして用いることもできる。
【０００７】
次に、Ｕ字溝ブロックを用いた植栽ベンチの構成について説明する。
図３および図４において、植栽ベンチ１は、Ｕ字溝ブロック４の開放部が正面側に位置する状態とし、下部を地中に埋設することにより構成されている。すなわち、Ｕ字溝ブロック４は横に向けられ、側面断面視コの字状とされ、下部が地中に埋設されて、地面６より突出し水平となるオーバーハング部の上面が座部となる。植栽ベンチ１を構成するＵ字溝ブロック４の地面６より突出している立ち上がり部、および水平となっているオーバーハング部の外側面には、プレート５が着設されており、外観的には、植栽ベンチ１がプレート５に使用される材料により構成されたように見える。
【０００８】
そして、植栽ベンチ１を構成するＵ字溝ブロック４に着設するプレート５を石製とすることにより、高級感を醸し出すことができるとともに、落ち着きのある外観を与えることができる。石製のプレート５としては、天然石を用いたもの、特に御影石を用いたものを使用することにより、安価でかつ高級な外観を得ることができる。
なお、プレート５として、タイル、煉瓦、木材、プラスチック、ステンレスなどを用いることもできる。
【０００９】
植栽ベンチ１の構成するＵ字溝ブロック４の地面６に埋設された部分の上方、すなわちオーバーハング部の下方を、ヘデラなどが植栽できるように構成している。このように、植栽ベンチ１のオーバーハング部の下方を植栽に用いるので、植栽ベンチ１の配設スペースを有効に使用することができる。
また、植栽により、Ｕ字溝ブロック４の内側部分が目隠しされるため、特に内側部分にプレート５を配設する必要がなく、プレート５の使用を節約し、少ない費用で高級感のある植栽ベンチ１を構成することができる。前記植栽ベンチ１の本体としてＵ字溝ブロック４を用いるので、少ない費用で植栽ベンチを構成することができる。また、該Ｕ字溝ブロック４の形状を植栽ベンチ１に、そのまま利用することができ、Ｕ字溝ブロック４により構成されるため、軽量であり、輸送コストや施工費を少なくすることができる。プレート５に天然石を使用することにより、本物志向のベンチを少ない費用で構成でき、材質、デザイン的にも優れた植栽ベンチを構成できる。特に、様々なテクスチャーや色のある御影石のプレート５を用いることにより、和風、洋風などのデザインが可能である。
【００１０】
また、複数のＵ字溝ブロック４を用いることにより土留め兼用植栽ベンチを構成することも可能である。図５および図６に示すごとく、Ｕ字溝ブロック４を境として、地面６ｂは地面６ａより高い位置となっており、Ｕ字溝ブロック４により土留めを行うものである。Ｕ字溝ブロック４の上面および前面にはプレート５が着設されており、土留め兼用植栽ベンチ７を構成するものである。前述と同様にＵ字溝ブロック４の内側にはヘデラなどが植栽可能となっている。Ｕ字溝ブロック４は安価であり、耐久性があるため、上記のごとく、土留め兼用植栽ベンチ７を構成することにより、土留めをベンチとして使用できるとともに、該ベンチの配設部に植栽を行うことができる。また、施工費を少なくでき、プレート５として御影石などの天然石を用いることにより、多様なデザインが可能であり、質感を向上できる。
【００１１】
図７および図８において、複数のＵ字溝ブロック４を用いたプランター付き植栽ベンチ８の構成について説明する。
側面視コの字状に立設されたＵ字溝ブロック４のオーバーハング部の後方側上面には、該Ｕ字溝ブロック４より小さいＵ字溝ブロック４ｂが開放部を上方にして載置されており、Ｕ字溝ブロック４の後面と小さいＵ字溝ブロック４ｂの後面が一致するように固設されている。Ｕ字溝ブロック４に小さいＵ字溝ブロック４ｂが固設された状態において、Ｕ字溝ブロック４と小さいＵ字溝ブロック４ｂの外側面にはプレート５が着設されている。
そして、Ｕ字溝ブロック４上において、小さいＵ字溝ブロック４ｂが側面視Ｕ字状に固設されるため、該小さいＵ字溝ブロック４ｂを背もたれとするとともに、プランターとして用いることができる。
上記のごとく、大小のＵ字溝ブロック４・４ｂにより容易にプランター付き植栽ベンチ８を構成することができる。また、該プランター付き植栽ベンチ８に着設するプレート５として御影石のプレートを使用することにより、重厚な御影石風の器に植栽を行うことができ、プランター付き植栽ベンチ８の下部およびプランターに植栽される緑がより際立ち、外観が美しくなる。
【００１２】
次に、図９乃至図１２において複数のＵ字溝ブロックを用いて構成される植木台兼用複合植栽ベンチについて説明する。
まず、図９および図１０において、複数のＵ字溝ブロックを用いて構成される植木台兼用複合植栽ベンチ９の第一実施例について説明する。
側面視コの字状に立設されたＵ字溝ブロック４の後方には逆Ｕ字状に、Ｕ字溝ブロック４ｃが配設されている。該逆Ｕ字溝ブロック４ｃとしては、Ｕ字溝ブロック４より小型のものが使用されている。逆Ｕ字溝ブロック４ｃの上面には側面視コの字状にＵ字溝ブロック４が配設されている。Ｕ字溝ブロック４・４は開放方向が同一に構成されており、Ｕ字溝ブロック４ｃの上方に配設されたＵ字溝ブロック４の下部には土が装填され、植栽を行うことができる。
【００１３】
また、上方のＵ字溝ブロック４の開放部とは反対側は土留めとして使用することができ、Ｕ字溝を雛壇状にくみ上げることにより、土留めを兼ねたベンチとして使用でき、植木台として用いることもできる。Ｕ字溝４の開放部側の上部前面および上面には上述のようなプレート５が着設されており、植木台兼用複合植栽ベンチ９の質感を向上させるものである。植木台兼用複合植栽ベンチ９は、同型のＵ字溝ブロック４・４および小型のＵ字溝ブロック４ｃを互いに固設して、該Ｕ字溝ブロック４・４にプレート５を着設して構成されるので、施工が容易であり、費用を少なくできるとともに、工期を短くできる。
【００１４】
次に、図１１および図１２において、複数のＵ字溝を用いて構成される植木台兼用複合植栽ベンチ１０の第二実施例について説明する。
側面視コの字状に立設されたＵ字溝ブロック４の後方には逆Ｕ字状に、Ｕ字溝ブロック４ｃが配設されている。該逆Ｕ字溝ブロック４ｃとしては、Ｕ字溝ブロック４より小型のものが使用されている。逆Ｕ字溝ブロック４ｃの上面には側面視コの字状にＵ字溝ブロック４が配設されている。Ｕ字溝ブロック４・４は開放方向が互いに反対方向となるように配置されており、該逆Ｕ字溝ブロック４ｃの上方に配設されたＵ字溝ブロック４の下部は土が装填され、地面６ｂに埋設される構成となっている。
このように、Ｕ字溝ブロックを雛壇状に組み上げることにより、土留めを兼ねたベンチとして使用でき、植木台として用いることもできるものである。Ｕ字溝ブロック４・４の外側面および上面にはプレート５が着設されており、植木台兼用複合植栽ベンチ１０の質感を向上させるものである。植木台兼用複合植栽ベンチ１０は、同型のＵ字溝ブロック４・４および小型のＵ字溝ブロック４ｃを互いに固設して、該Ｕ字溝ブロック４・４にプレート５を着設して構成されるので、施工が容易であり、費用を少なくできるとともに、工期を短くできる。
【００１５】
【発明の効果】
請求項１に記載のごとく、Ｕ字溝ブロック（４）を横に向け、下部を埋設し、植栽ベンチを構成し、該植栽ベンチのオーバーハング部の下方を植栽用に用い、該Ｕ字溝ブロック（４）を境として、地面（６ｂ）は地面（６ａ）より高い位置とし、該Ｕ字溝ブロック（４）により土留めを行なうので、軽量な植栽ベンチを構成できるとともに、輸送コストや施工費を減少でき、施工期間を短くできる。
【００１６】
請求項２記載のごとく、同型のＵ字溝ブロック（４・４）および小型のＵ字溝ブロック（４ｃ）を互いに固設して植栽ベンチを構成し、土留め兼用としたので、ベンチの配置スペースを有効に利用できる。また、ベンチを配置した場所の美観を向上できる。
【００１７】
請求項３に記載のごとく、植栽ベンチを構成するＵ字溝ブロック（４）の外側面および上面に天然石のプレートを着設したので、高級な質感のベンチを安価に構成できるとともに、デザイン性を向上できる。
また、天然石には様々なテクスチャーや色があり、多様なデザインのベンチを構成できる。
【図面の簡単な説明】
【図１】  植栽ベンチの使用例を示す斜視図。
【図２】  同じく断面図。
【図３】  植栽ベンチを構成するＵ字溝の斜視図。
【図４】  同じく側面断面図。
【図５】  土留め兼用植栽ベンチの側面断面図。
【図６】  同じく斜視図。
【図７】  プランター付き植栽ベンチの側面断面図。
【図８】  同じく斜視図。
【図９】  植木台兼用複合植栽ベンチの一例を示す側面断面図。
【図１０】  同じく斜視図。
【図１１】  植木台兼用複合植栽ベンチの他の例を示す側面断面図。
【図１２】  同じく斜視図。
【符号の説明】
１  植栽ベンチ
２  駐車場
３  庭
４  Ｕ字溝ブロック
５  プレート
６  地面
７  土留め兼用ベンチ
８  プランター付き植栽ベンチ
９・１０  植木台兼用複合植栽ベンチ
【図１】
0003825584.tif 000002
【図２】
0003825584.tif 000003
【図３】
0003825584.tif 000004
【図４】
0003825584.tif 000005
【図５】
0003825584.tif 000006
【図６】
0003825584.tif 000007
【図７】
0003825584.tif 000008
【図８】
0003825584.tif 000009
【図９】
0003825584.tif 000010
【図１０】
0003825584.tif 000011
【図１１】
0003825584.tif 000012
【図１２】
0003825584.tif 000013